(57)【要約】【課題】側溝側壁を容易、安全、正確に切断できる側溝切断機を提供する。【解決手段】側溝の上部開放端部２に設置される走行ユニット５と走行ユニット５に対して平行な方向に摺動自在に支持されたスライドユニット１０と、スライドユニット１０に対して垂直な方向に摺動自在に支持されたカッタ２５を備える側溝切断機とすることにより、容易に側溝側壁に設置用溝を正確に形成できる【選択図】図２
2006028948.tif 000002
【特許請求の範囲】
【請求項１】
側溝の上部開放端部に設置される走行ユニットと走行ユニットに対して平行な方向に摺動自在に支持されたスライドユニットとスライドユニットに対して垂直な方向に摺動自在に支持されたカッタからなる側溝切断機。
【発明の詳細な説明】
【技術分野】
【０００１】
本発明は、現在一般に用いられている側溝に床板・グレーチングなどを用いて側溝上部開放部に通路などを形成する工事において用いられる切断装置に関する。
【背景技術】
【０００２】
一般に農地から宅地に転用された土地に対する進入路を形成したり、既設道路に歩道を設けたりする際に側溝と呼ばれる雨水排水路・農業用灌漑水路に床版と呼ばれる鉄筋コンクリート製の板やグレーチングと呼ばれる鋼製の組板で側溝上部開放部にフタをすることにより、側溝上部開放部を道路として使用できるようにする工事が行われている。従来は側溝上部を水平に切断する機械は無く床版やグレーチングを設置するために、人力やパワーショベルに代表される建設用重機械で既設側溝に設置用溝を入れていた。
【発明の開示】
【発明が解決しようとする課題】
【０００３】
従来の方法において人力で設置用溝を入れる際には、まず既設側溝上端からの距離を測定し、工区の両端まで側溝側壁に切断位置をマーキングした後、側構内にエンジンカッターやグラインダー等を持った作業者が入り前述のマーキング位置に合わせて溝を入れている。しかしながら工区の長さは概ね数十メートル以上あり、側溝内側両側面に溝を入れる必要があるので、溝を入れる長さは工区の長さの倍になる。これだけの長さを人力で一定の高さ・深さで施工できることは不可能である為、切断後の手直し工事が発生する。既設側溝は鉄筋コンクリート製であるものがほとんどである為、切断中にカッタが鉄筋部分に差し掛かると慎重に操作しなければ、カッタが切断反力によりはじかれて作業者及び周辺の人に危害をおよぼすおそれがあるなど危険であった。既設側溝の幅が狭い場合は、作業者に著しく不自然な姿勢での作業を強いることになる。また既設側構内に作業者が入れる程の幅があったとしても、側構内は水のみならず汚物なども流れている場合が多く、作業者に非衛生的な環境での作業を強いることが多い。一般的にパワーショベルとよばれる建設用重機械で溝を入れる際は、パワーショベルのバケットをグリッパと呼ばれる解体用のつめに付け替えて、前述のマーキングの位置に合わせて既設側溝上部を割り、既設側溝上部を撤去した後再び型枠を組み、側溝側壁に設置用溝を成形している。しかしながらパワーショベルを用いて既設側溝上部を撤去する場合、人力を用いるときと比べ楽に行うことができるが、生活道路を一時的に通行止めにするなどの周辺住民への影響のほか以下のような工事上の問題が発生する。まずグリッパによる割深さが一定にはならないし、グリッパでコンクリートは割れても鉄筋は残る。ここで無理にグリッパで鉄筋を排除しようとすると本来残すべき側溝が破損する。そこで残った鉄筋をカッタもしくはガス切断などで切断する追加工事の必要がある。さらにグリッパで割った際に、本来残すべき側溝側壁の表面が脱落し、表面の手直し工事が必要な上に側溝本来の強度などが低下するおそれがある。また既設側溝上部を撤去した後再び型枠を組み設置用溝を形成する必要があり、安価・容易な工法とは言い難くなっていた。本発明は、かかる現状の問題点を鑑み既設側溝上部に道路として床版などで形成する際に、設置にかかる作業時間を短くすると共に、正確・容易・安全に施工できる側溝切断機を提供するためになされたものである。
【課題を解決するための手段】
【０００４】
上記の目的を達成するために本発明は、側溝の上部開放端部に設置される走行ユニットと走行ユニットに対して平行な方向に摺動自在に支持されたスライドユニットと、スライドユニットに対して垂直な方向に摺動自在に支持されたカッタを備える側溝切断機とすることにより、容易に側溝側壁に設置用溝を正確に形成することができる。
【実施例】
【０００５】
以下、本発明の好ましい実施形態にかかる側溝切断機を図面に基づいて説明する。図１は一般に側溝と呼ばれる本実施例の農業用灌漑水路の断面図である。一般に埋設された状態の農業用灌漑水路1の上方に伸びる2枚の側壁の上方開放端部２、２が形成されている。図2は側溝切断機の概略側面断面図、図3は図２の正面図である。
【０００６】
図2及び図３において車輪３と走行体４からなる一対の走行ユニット５の上部にスライドシャフト支持部材６が備えられ、スライドシャフト支持部材６は左右スライドシャフト７Ａ，７Ｂが挿入されクランプボルト８を具備している。走行ユニット５はクランプボルト８を開放することにより、左右スライドシャフト７Ａ，７Ｂ上を摺動することができ、一対の走行ユニット間の距離を自在に調整できる。また左右スライドシャフト７Ａ，７Ｂを交換することにより、あらゆる側溝幅に自在に対応することができる。左右スライドシャフト７Ａ，７Ｂにはスライドガイド９が挿入されスライドユニット１０を構成している。左右スライドシャフトの一方７Bにはラックが形成され、左右ギヤボックス１１内の左右駆動ギヤ１２とかみ合っている。スライドユニット１０は左右ギヤボックス１１より突出した軸に取り付けられた左右ハンドル１３を回転させることによりスライドユニット１０を左右スライドシャフト７Ａ，７Ｂに対して平行に摺動させることができ、またその位置を固定するために左右クランプレバー１４が設けられている。さらに左右ハンドル１３には目盛が設けられ左右方向の切り込み深さを左右ハンドル１３の近傍で確認できるようになっている。
【０００７】
走行ユニット５には左右方向の直進性を確保するために取り付けブラケット１５が枢止され、その軸芯上には左右移動規制クランプレバー１６がもうけられている。取り付けブラケット１５の挿入穴にはホルダ１７が軸芯方向に摺動自在に挿入され、さらにホルダの先端には取り付けブラケット１５の挿入穴に対して垂直方向にホルダ穴があけられ、ホルダ穴の軸芯上には上下移動規制クランプレバー１８が設けられている。ホルダ穴に一方の軸端に移動規制ローラ１９が回転自在に固定され、もう一端には把手２０が枢止された規制シャフト２１が取り付けブラケット１５の挿入穴に対して垂直に摺動自在に取り付けられている。また走行ユニット５には図示しない圧縮空気供給手段より圧縮空気の供給を受け、カッタへの圧縮空気給断手段（図示せず。）が設けられている。
【０００８】
スライドユニット１０の概略中央部に上下ガイド２２Ａ、２２Ｂが設けられ、上下スライドシャフト２３Ａ，２３Ｂが挿入されている。上下スライドシャフト２３Ａ，２３Ｂの下端には連結プレート２４を介してカッタ２５が固定され、そのカッタにはブレードと呼ばれる円盤状の刃物が取り付けられている。また上下スライドシャフトの一方の２３Ａには、ラックが形成されスライドユニット１０上に設けられた上下ギヤボックス２６内の上下駆動ギヤ２７とかみ合っている。また上下ギャボックス２６より突出した軸に上下ハンドル２８が取り付けられており、上下ハンドル２８を回転させることによりカッタ２５をスライドユニット１０に対して垂直に摺動させることができ、その位置を固定するために上下クランプレバー２９が設けられ上下方向の移動を規制できる。さらにラック側面には目盛が設けられ上下ハンドル２８の近傍で、カッタの側溝開放上端部２からの切り込み深さが判るようになっている。
【０００９】
またラックを形成されない上下スライドシャフト２３Ｂは、連結プレート２４で連結されているので上下ハンドル２８を操作することにより、ラックを形成されない上下スライドシャフト２３Ｂはラックを形成された上下スライドシャフト２３Ａと同時に動作をする。
【００１０】
さらに上下クランプレバー２９で規制できないラックや上下駆動ギヤ２７のバックラッシを止めるために上下スライドシャフトクランプレバー３０が設けられている。上記左右移動機構、上下移動機構により、カッタ２５を走行ユニット５に対して自在に位置決め、固定をすることができる。
【００１１】
次に本発明の側溝切断機を用いた作業工程について説明する。先ず切断する側溝の寸法を計測し、走行ユニット５が側溝の上部開放端部２に乗るようにクランプボルト８を緩めて走行ユニット５を左右スライドシャフト７Ａ，７Ｂ上で摺動させて、一対の走行ユニット５間の間隔を決める。あわせて図示しない圧縮空気供給手段より図示しない走行ユニット５に設けられた圧縮空気給断手段間をゴムホースで配管を行う。
【００１２】
次に側溝上部切断開始点に移動させ、走行ユニット５に設けられた取り付けブラケット１５軸芯上の左右移動規制クランプレバー１６とホルダ１７の軸芯上の上下移動規制クランプレバー１８を開放して移動規制ローラ１９を側溝の両側壁に接触させてから、左右移動規制クランプレバー１６、上下移動規制クランプレバー１８を固定して走行ユニット５進行方向に対するの左右移動を規制する。
【００１３】
次に上下クランプレバー２９および上下シャフトクランプレバー３０を開放して、上下ハンドル２８を操作し上下方向の切断深さを決め、上下クランプレバー２９および上下シャフトクランプレバー３０を締めて上下方向のカッタ25の動きを固定する。
【００１４】
次に図示しない圧縮空気給断手段を徐々に開きながらカッタ２５の回転を安定させる。カッタ２５の回転が安定した後、左右クランプレバー１４を開放し左右ハンドル１３を操作して左右方向の切り込み動作を行う。
【００１５】
この時実際にカッタが側溝側壁に切り込み始めた時には切断音が発生するので、発生した時から、左右ハンドル１３に設けられた目盛を利用して左右方向の切り込み深さを決める。
【００１６】
左右方向の規定の深さ切り込み後、左右クランプレバー１４を固定して、カッタ２５の左右方向の動きを固定する。
【００１７】
その後図示しない枢止された把手を作業者が押して切断を行う。
【００１８】
発生する粉塵などは湿式で切削する際は、図示しない給水手段でカッタ２５のブレードに給水することで粉塵の飛散を抑制し、乾式で切削する際は図示しない集塵手段で粉塵を回収することで粉塵の飛散を抑制することができる。
【００１９】
本実施例ではカッタ２５に市販のエアグラインダを取り付けているが、新たに同様の作用を有する機構を取り付けてもよい。しかしながらカッタに取り付けるブレードの種類により切断時に乾式、湿式両方法に対処する必要があること、作業性および過負荷時の安全性を鑑みカッタ機構の駆動方式はエア式であることが好適である。また走行ユニット５、スライドユニット１０、カッタ２５などの形状は任意に設計できるもので、図示の例に限定しない。
【産業上の利用可能性】
【００２０】
以上説明したように本発明の側溝切断機を使用しての切断作業は、従来の方法に比べて、著しく容易，安全、正確に切断することができる。本発明の側溝切断機を利用することができる理論上の最小側溝はカッタ２５を挿入できるだけの側溝内幅があれば充分であり、最大幅は左右スライドシャフト７Ａ，７Ｂを交換することにより制限はなく、一台で対応することができる。また作業者は全ての操作を地面に立ってすることができるので、作業者に無理な姿勢を強いることも無く、側構内に入る必要もないので従来の作業方法に比して著しく衛生的である。さらに建設用重機械を使用することも無く、本発明の側溝切断機は構造上既設側溝の外幅を超えることが無いので、作業に必要な空間が必要最小限であるため、工事中に工事現場周辺に与える不便を最小にするとともに、従来建設用重機械が進入する事が不可能であった狭小地での作業の容易化が図れるなどの効果を奏する。
【図面の簡単な説明】
【００２１】
【図１】農業用灌漑水路の断面図
【図２】本発明の側溝切断機の概略側面断面図
【図３】本発明の側溝切断機の正面図
【符号の説明】
【００２２】
１農業用灌漑用水路、２農業用灌漑水路の側壁上方開放端部、３車輪、４走行体、５走行ユニット、６スライドシャフト支持部材、７左右スライドシャフト、８クランプボルト、９スライドガイド、１０スライドユニット、１１左右ギヤボックス、１２左右駆動ギヤ、１３左右ハンドル、１４左右クランプレバー、１５取り付けブラケット、１６左右移動規制クランプレバー、１７ホルダ、１８上下移動規制クランプレバー、１９移動規制ローラ、２０把手、２１規制シャフト、２２上下ガイド、２３上下スライドシャフト、２４連結プレート、２５カッタ、２６上下ギヤボックス、２７上下駆動ギヤ、２８上下ハンドル、２９上下クランプレバー、３０上下スライドシャフトクランプレバー。
【図１】
2006028948.tif 000003
【図２】
2006028948.tif 000004
【図３】
2006028948.tif 000005